(57)【要約】【課題】ユニット移動に伴う部品破損の発生を抑制するための紙幣処理装置を提供する。【解決手段】第１のユニットと、第２のユニットと、前記第１のユニットと前記第２のユニットの間で紙幣が搬送される受渡搬送路を形成する一対の受渡ガイドと、を備え、前記受渡搬送路は前記一対の受渡ガイドの間に形成され、前記受渡ガイドは、前記受渡搬送路と反対側であって、かつ、前記第１のユニットの側に、前記第１のユニットの側の端部に向かうにつれて前記受渡搬送路に近づく第１の縁部を有する、紙幣処理装置。【選択図】図９
2015184977.tif 000002
【特許請求の範囲】
【請求項１】
第１のユニットと、
第２のユニットと、
前記第１のユニットと前記第２のユニットの間で紙幣が搬送される受渡搬送路を形成する一対の受渡ガイドと、
を備え、
前記受渡搬送路は前記一対の受渡ガイドの間に形成され、
前記受渡ガイドは、前記受渡搬送路と反対側であって、かつ、前記第１のユニットの側に、前記第１のユニットの側の端部に向かうにつれて前記受渡搬送路に近づく第１の縁部を有する、紙幣処理装置。
【請求項２】
前記受渡ガイドは、前記受渡搬送路と反対側であって、かつ、前記第２のユニットの側に、前記第２のユニットの側の端部に向かうにつれて前記受渡搬送路に近づく第２の縁部を有する、請求項１に記載の紙幣処理装置。
【請求項３】
前記第１の縁部または前記第２の縁部は、前記受渡搬送路の形成方向と成す角度が６０度以上の傾斜面である、請求項２に記載の紙幣処理装置。
【請求項４】
前記第１のユニットは、前記受渡ガイドと入れ子形態で前記受渡搬送路を形成する一対の第１ガイドを有し、
前記第１ガイドは、前記受渡搬送路と反対側であって、かつ、前記受渡ガイドの側に、前記受渡ガイドの側の端部に向かうにつれて前記受渡搬送路に近づく第３の縁部を有する、請求項１〜３のいずれか一項に記載の紙幣処理装置。
【請求項５】
前記第３の縁部は、前記受渡搬送路の形成方向と成す角度が６０度以上の傾斜面である、請求項４に記載の紙幣処理装置。
【請求項６】
前記第２のユニットは、前記受渡ガイドと入れ子形態で前記受渡搬送路を形成する一対の第２ガイドを有し、
前記第２ガイドは、前記受渡搬送路と反対側であって、かつ、前記受渡ガイドの側に、前記受渡ガイドの側の端部に向かうにつれて前記受渡搬送路に近づく第４の縁部を有する、請求項１〜５のいずれか一項に記載の紙幣処理装置。
【請求項７】
前記第４の縁部は、前記受渡搬送路の形成方向と成す角度が６０度以上の傾斜面である、請求項６に記載の紙幣処理装置。
【請求項８】
前記第１のユニットおよび前記第２のユニットは、前記受渡搬送路における紙幣の搬送方向と異なる所定方向に前記受渡ガイドから分離可能である、請求項１〜７のいずれか一項に記載の紙幣処理装置。
【請求項９】
前記第１のユニットおよび前記第２のユニットの一方は、顧客との間で紙幣の受け渡しが行われる接客部を有し、
前記第１のユニットおよび前記第２のユニットの他方は、紙幣を収納する複数の紙幣収納部を有する、請求項１〜８のいずれか一項に記載の紙幣処理装置。
【発明の詳細な説明】
【技術分野】
【０００１】
本発明は、紙幣処理装置に関する。
【背景技術】
【０００２】
近日、金融機関には、顧客が入金処理および出金処理などを行うための紙幣処理装置が設置されている。紙幣処理装置は、顧客との間で紙幣の受け渡しを行うための接客部、紙幣の鑑別を行う鑑別部、紙幣を収納する紙幣カセットなどを備え、入金処理においては接客部から紙幣カセットへ紙幣を搬送し、出金処理においては紙幣カセットから接客部へ紙幣を搬送する。
【０００３】
紙幣処理装置の一例として、特許文献１には、接客部および鑑別部などを含む上部ユニットと、紙幣カセットを含む下部ユニットと、が上下に配置された紙幣処理装置が開示されている。この紙幣処理装置においては、下部ユニットを紙幣処理装置から引き出し可能である。
【先行技術文献】
【特許文献】
【０００４】
【特許文献１】特開２００６−２０６２０８号公報
【発明の概要】
【発明が解決しようとする課題】
【０００５】
また、例えば下部ユニットを金庫で覆いつつ、上部ユニットおよび下部ユニットを紙幣処理装置から引き出し可能とするために、上部ユニットと下部ユニットの間に、上部ユニットと下部ユニットとの間で紙幣の受渡を行うための受渡ガイドを設けることが考えられる。
【０００６】
しかし、紙幣処理装置から引き出された一方のユニットを、受渡ガイドまたは当該ユニットに残留紙幣がある状態で職員が紙幣処理装置の定位置に戻す場合、受渡ガイドまたは当該ユニットの部品が破損する恐れがある。例えば、職員が一方のユニットを定位置に戻す過程で残留紙幣が受渡ガイドと当該ユニットに挟まれ、残留紙幣が挟まれた状態で当該ユニットがさらに押し込まれることにより、受渡ガイドおよび当該ユニットが残留紙幣を介して相互に引っ張られ、当該引っ張りの力により受渡ガイドまたは当該ユニットの部品が破損する恐れがある。
【０００７】
そこで、本発明は、上記問題に鑑みてなされたものであり、本発明の目的とするところは、ユニット移動に伴う部品破損の発生を抑制することが可能な、新規かつ改良された紙幣処理装置を提供することにある。
【課題を解決するための手段】
【０００８】
上記課題を解決するために、本発明のある観点によれば、第１のユニットと、第２のユニットと、前記第１のユニットと前記第２のユニットの間で紙幣が搬送される受渡搬送路を形成する一対の受渡ガイドと、を備え、前記受渡搬送路は前記一対の受渡ガイドの間に形成され、前記受渡ガイドは、前記受渡搬送路と反対側であって、かつ、前記第１のユニットの側に、前記第１のユニットの側の端部に向かうにつれて前記受渡搬送路に近づく第１の縁部を有する、紙幣処理装置が提供される。
【０００９】
前記受渡ガイドは、前記受渡搬送路と反対側であって、かつ、前記第２のユニットの側に、前記第２のユニットの側の端部に向かうにつれて前記受渡搬送路に近づく第２の縁部を有してもよい。
【００１０】
前記第１の縁部または前記第２の縁部は、前記受渡搬送路の形成方向と成す角度が６０度以上の傾斜面であってもよい。
【００１１】
前記第１のユニットは、前記受渡ガイドと入れ子形態で前記受渡搬送路を形成する一対の第１ガイドを有し、前記第１ガイドは、前記受渡搬送路と反対側であって、かつ、前記受渡ガイドの側に、前記受渡ガイドの側の端部に向かうにつれて前記受渡搬送路に近づく第３の縁部を有してもよい。
【００１２】
前記第３の縁部は、前記受渡搬送路の形成方向と成す角度が６０度以上の傾斜面であってもよい。
【００１３】
前記第２のユニットは、前記受渡ガイドと入れ子形態で前記受渡搬送路を形成する一対の第２ガイドを有し、前記第２ガイドは、前記受渡搬送路と反対側であって、かつ、前記受渡ガイドの側に、前記受渡ガイドの側の端部に向かうにつれて前記受渡搬送路に近づく第４の縁部を有してもよい。
【００１４】
前記第４の縁部は、前記受渡搬送路の形成方向と成す角度が６０度以上の傾斜面であってもよい。
【００１５】
前記第１のユニットおよび前記第２のユニットは、前記受渡搬送路における紙幣の搬送方向と異なる所定方向に前記受渡ガイドから分離可能であってもよい。
【００１６】
前記第１のユニットおよび前記第２のユニットの一方は、顧客との間で紙幣の受け渡しが行われる接客部を有し、前記第１のユニットおよび前記第２のユニットの他方は、紙幣を収納する複数の紙幣収納部を有してもよい。
【発明の効果】
【００１７】
以上説明したように本発明によれば、ユニット移動に伴う部品破損の発生を抑制することが可能である。
【図面の簡単な説明】
【００１８】
【図１】本発明の実施形態による紙幣処理装置１の内部構成例を示す図である。
【図２】各ユニットの引出し状態を示した説明図である。
【図３】図２に示したＡ−Ａ断面を示す説明図である。
【図４】比較例による受渡ガイドの構成を示した説明図である。
【図５】比較例による紙幣処理装置において引き出された上部ユニットを紙幣処理装置に戻す過程を示した説明図である。
【図６】紙幣処理装置の金庫の構成を示した説明図である。
【図７】金庫に本発明の実施形態による受渡ガイドが実装された状態を示す説明図である。
【図８】本発明の実施形態による受渡ガイドの構成を示した説明図である。
【図９】本発明の実施形態による受渡ガイドの作用を示した説明図である。
【図１０】比較例による紙幣処理装置において引き出された上部ユニットを紙幣処理装置に戻す過程を示した説明図である。
【図１１】応用例による紙幣処理装置１の受渡ガイド周辺の断面視を示した説明図である。
【図１２】応用例による紙幣処理装置１の上部ガイドの作用を示した説明図である。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２１】
＜１．紙幣処理装置の基本構成＞
本発明の実施形態による紙幣処理装置は、金融機関やコンビニエンスストアなどに設置されており、金融機関が管理するホストコンピュータと接続されている。本発明の実施形態による紙幣処理装置は、顧客操作に基づいてホストコンピュータと通信することにより、入金処理および出金処理などを実行することができる。以下では、まず、このような本発明の実施形態による紙幣処理装置の内部構成について図１〜図３を参照して説明する。
【００２２】
（１−１．紙幣処理装置の内部構成例）
図１は、本発明の実施形態による紙幣処理装置１の内部構成例を示す図である。図１に示したように、紙幣処理装置１は、上部ユニット１０、一対の受渡ガイド２０、金庫２４および下部ユニット３０が配置される筐体２を有する。なお、上部ユニット１０または下部ユニット３０の一方が紙幣処理装置１の第１のユニットに対応し、上部ユニット１０または下部ユニット３０の他方が紙幣処理装置１の第２のユニットに対応する。
【００２３】
上部ユニット１０は、接客部１３、鑑別部１４、一時保留部１５、リジェクト庫１６を含む。また、上部ユニット１０は、これら接客部１３、鑑別部１４、一時保留部１５、リジェクト庫１６を繋ぐ搬送部を有する。搬送部は、搬送路、紙幣を搬送する搬送ローラ、および搬送ローラを駆動する駆動機構を含む搬送部が設けられる。駆動機構は、例えばＤＣサーボモータまたはパルスモータなどが回転することにより、搬送ローラを駆動する。搬送部は、紙幣処理装置１により制御され、紙幣を目的の搬送先に搬送する。
【００２４】
接客部１３は、入金処理においては顧客により投入された紙幣を一枚ずつ分離し、出金処理においては顧客に返却する紙幣を集積する。
【００２５】
鑑別部１４は、１枚ずつ通過していく紙幣の鑑別を行う。紙幣の進行方向は双方向に対応しており、鑑別部１４は、接客部１３側の方向から搬送される紙幣、およびその逆方向から搬送される紙幣の鑑別を行うことができる。なお、鑑別部１４は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２６】
一時保留部１５は、紙幣の分離と集積の両方の機能を有する。例えば、一時保留部１５は、入金処理時に接客部１３から分離されて鑑別部１４により正常と鑑別された紙幣を一時的に集積（収納）する。一時保留部１５に集積された紙幣は、入金した紙幣の口座計上などが確定したなど、取引が成立した場合に繰り出され、鑑別部１４を経て紙幣カセット３２Ａ〜３２Ｅなどに搬送される。なお、一時保留部１５は、紙幣を順次重ねて集積する集積式であってもよいし、紙幣を順次巻いて収納するドラム式であってもよい。
【００２７】
リジェクト庫１６は、鑑別部１４により異常と鑑別（リジェクト判定）された紙幣を集積するための紙幣収納部である。
【００２８】
また、下部ユニット３０は、紙幣カセット３２Ａ〜３２Ｅおよび搬送部を含み、開閉可能な金庫２４によって覆われている。なお、金庫２４は、例えばダイヤル操作により後面側を開閉可能であってもよい。
【００２９】
紙幣カセット３２は、紙幣を金種毎に収納可能な紙幣収納部であって、紙幣の集積および分離の両方の機能を有する。また、紙幣カセット３２Ａ〜３２Ｅは、同一金種のための複数の紙幣カセットを含んでもよい。例えば、紙幣カセット３２Ａおよび３２Ｃが一万円札用の紙幣カセットであり、紙幣カセット３２Ｂおよび３２Ｄが千円札用の紙幣カセットであってもよい。また、紙幣カセット３２Ａ〜３２Ｅは、紙幣処理装置１に対して着脱可能な構造になっており、個別に交換することで紙幣カセット３２Ａ〜３２Ｅに紙幣を装填することも可能である。
【００３０】
一対の受渡ガイド２０は、上述した上部ユニット１０および下部ユニット３０の間に、金庫２４に固定して設けられる。この受渡ガイド２０は、上部ユニット１０および下部ユニット３０の間で紙幣を搬送するための受渡搬送路を形成する。例えば、受渡ガイド２０は、入金処理においては鑑別部１４から紙幣カセット３２へ紙幣が搬送される際に上部ユニット１０から下部ユニット３０へ紙幣の受け渡しを行い、出金処理においては紙幣カセット３２から接客部１３へ紙幣が搬送される際に下部ユニット３０から上部ユニット１０へ紙幣の受け渡しを行う。
【００３１】
上述した上部ユニット１０および下部ユニット３０は、図２に示すように、紙幣処理装置１の運用時には紙幣処理装置１内の定位置に収納されている。一方、上部ユニット１０および下部ユニット３０は、受渡搬送路における紙幣の搬送方向と異なる所定方向（例えば、直交方向）に引き出されることにより、受渡ガイド２０から分離され得る。例えば、上部ユニット１０および下部ユニット３０は、図２に示すように、メンテナンス等の目的で、図示しないスライド機構により、紙幣処理装置１の後面側に引き出し可能である。なお、上部ユニット１０および下部ユニット３０を引き出し可能な方向は図２に示した例に限られず、上部ユニット１０および下部ユニット３０は紙幣処理装置１の前面または側面から引き出し可能に設けられてもよい。
【００３２】
さらに、図１および図２においては、紙幣処理装置１の第１のユニットおよび第２のユニットの一例として、鉛直方向に配置される上部ユニット１０および下部ユニット３０を示したが、第１のユニットおよび第２のユニットは水平方向に配置されてもよい。この場合、第１のユニットおよび第２のユニットは、紙幣処理装置１の上面または下面から引き出し可能に設けられ得る。
【００３３】
図３は、図２に示したＡ−Ａ断面を示す説明図である。図３に示すように、上部ユニット１０は、紙幣を搬送するための搬送ローラ４２および紙幣の残留を検知するための残留センサ４４を含む上部搬送部１７を有する。この上部搬送部１７の受渡ガイド２０側の端部には、図２および図３に示したように受渡ガイド２０と入れ子形態で受渡搬送路を形成する櫛歯状の一対の上部ガイド１８が設けられる。
【００３４】
同様に、下部ユニット３０は、紙幣を搬送するための搬送ローラ４２および紙幣の残留を検知するための残留センサ４４を含む下部搬送部３７を有する。この下部搬送部３７の受渡ガイド２０側の端部には、図２および図３に示したように受渡ガイド２０と入れ子形態で受渡搬送路を形成する櫛歯状の一対の下部ガイド３８が設けられる。
【００３５】
（１−２．背景）
本発明の実施形態の比較例として、本発明の実施形態と構成が異なる受渡ガイドを有する紙幣処理装置が挙げられる。しかし、比較例による紙幣処理装置では、紙幣処理装置から引き出された上部ユニットを、受渡ガイドまたは上部ユニットに残留紙幣がある状態で職員が紙幣処理装置の定位置に戻す場合、受渡ガイドまたは上部ユニットの部品が破損する恐れがあった。以下、図４および図５を参照して当該事項をより具体的に説明する。
【００３６】
図４は、比較例による受渡ガイド８０の構成を示した説明図である。図４に示したように、比較例による受渡ガイド８０は、金庫２４と固定するための固定部８１と、受渡搬送路８４の幅方向に離隔する複数のガイド片８２を有する。ガイド片８２は、受渡ガイド８０のセンタから左右に同じ幅（Ｌ１およびＬ２）まで設けられている。
【００３７】
また、図４の側面図およびＢ−Ｂ断面図に示したように、ガイド片８２の受渡搬送路８４側の角Ｃ１およびＣ２は曲面形状を有する。一方、ガイド片８２の受渡搬送路８４と反対側の角Ｃ３およびＣ４では、水平方向の辺と鉛直方向の辺とが垂直に交わっている。
【００３８】
図５は、比較例による紙幣処理装置において引き出された上部ユニット８８を紙幣処理装置に戻す過程を示した説明図である。図５の上図に示したように、引き出された上部ユニット８８には、残留紙幣８６が存在する場合がある。このように残留紙幣８６が存在する状態で職員が上部ユニット８８を紙幣処理装置の定位置に戻そうとすると、図５の下図に示したように、受渡ガイド８０（ガイド片８２）の受渡搬送路８４と反対側の側面と上部ガイド８９とに残留紙幣８６が挟まれ得る（図５に示したＸ部分）。
【００３９】
ここで、受渡ガイド８０の受渡搬送路８４と反対側の側面は、上述したように水平方向の辺と鉛直方向の辺とが垂直に交わっている。このため、受渡ガイド８０は、上部ユニット８８を押す水平方向の力と直交する面で残留紙幣８６に当たる。結果、受渡ガイド８０と上部ユニット８８とで残留紙幣８６を挟み込む力が強くなる。また、残留紙幣８６は、搬送ローラ４２によっても挟み込まれているため、残留紙幣８６には搬送ローラ４２の慣性力に応じた力も作用する。
【００４０】
このように残留紙幣８６が受渡ガイド８０と上部ユニット８８とに強く挟まれた状態で上部ユニット８８がさらに押し込まれると、受渡ガイド８０および上部ユニット８８が残留紙幣８６を介して相互に引っ張られ、受渡ガイド８０の軸が受渡搬送路８４側に撓み、さらには受渡ガイド８０の固定部８１が破損する恐れがある。そして、受渡ガイド８０が破損した状態では紙幣処理装置の利用においてジャムが発生し易いという問題がある。上記では、残留紙幣８６の存在する上部ユニット８８を紙幣処理装置に戻す例を説明したが、残留紙幣８６の存在する下部ユニットを紙幣処理装置に戻す場合にも同様の現象が生じ得る。
【００４１】
そこで、上記事情を一着眼点にして本発明の実施形態による紙幣処理装置１を創作するに至った。本発明の実施形態による紙幣処理装置１は、受渡ガイド２０の形状の創意工夫により、ユニット移動に伴う部品破損の発生を抑制することが可能である。以下、このような本発明の実施形態による紙幣処理装置１の構成について詳細に説明する。
【００４２】
＜２．紙幣処理装置の詳細構成＞
図６は、紙幣処理装置１の金庫２４の構成を示した説明図である。図６に示したように、金庫２４は、開口部５０と、ネジ孔５２とを有する。開口部５０は、受渡ガイド２０を実装するための空間である。ネジ孔５２は、開口部５０の両方の短辺に沿って２つずつ設けられる。
【００４３】
図７は、図６を参照して説明した金庫２４に本発明の実施形態による受渡ガイド２０が実装された状態を示す説明図である。図７に示したように、金庫２４の開口部５０には対向する一対の受渡ガイド２０が実装され、一対の受渡ガイド２０の間に受渡搬送路が形成される。受渡ガイド２０は、固定部２１と金庫２４のネジ孔５２とで金庫２４に固定される。以下、図８を参照し、本発明の実施形態による受渡ガイド２０の構成を詳細に説明する。
【００４４】
図８は、本発明の実施形態による受渡ガイド２０の構成を示した説明図である。図８に示したように、本発明の実施形態による受渡ガイド２０は、金庫２４と固定するための固定部２１と、受渡搬送路の幅方向に離隔する複数のガイド片２２を有する。ガイド片２２は、受渡ガイド２０のセンタから左右に同じ幅（Ｌ１およびＬ２）まで設けられている。
【００４５】
また、図８の側面図およびＣ−Ｃ断面図に示したように、ガイド片２２の受渡搬送路２８側の角Ｃ１およびＣ２は曲面形状を有する。さらに、ガイド片２２は、受渡搬送路２８と反対側であって、上部ユニット１０の側に、上部ユニット１０の側に向かうにつれて受渡搬送路２８に近づく上部縁部２６を有する。また、ガイド片２２は、受渡搬送路２８と反対側であって、下部ユニット３０の側に、下部ユニット３０の側に向かうにつれて受渡搬送路２８に近づく下部縁部２７を有する。上部縁部２６または下部縁部２７の一方が第１の縁部に対応し、上部縁部２６または下部縁部２７の他方が第２の縁部に対応する。
【００４６】
上部縁部２６に関し、上部縁部２６は図８に示したように傾斜面であってもよく、当該傾斜面と水平方向の成す角度は３０度以下であってもよい。すなわち、当該傾斜面と受渡搬送路２８の成す角度は６０度以上であってもよい。同様に、下部縁部２７は図８に示したように傾斜面であってもよく、当該傾斜面と水平方向の成す角度は３０度以下であってもよい。すなわち、当該傾斜面と受渡搬送路２８の成す角度は６０度以上であってもよい。
【００４７】
かかる構成によれば、上部ユニット１０または下部ユニット３０の移動に伴う部品破損の発生を抑制することが可能である。例えば、引き出された上部ユニット１０を、上部ユニット１０に残留紙幣４６が存在する状態で職員が紙幣処理装置１の定位置に戻そうとすると、図９に示したように、受渡ガイド２０の上部縁部２６と上部ユニット１０の上部ガイド１８とに残留紙幣４６が挟まれ得る。しかし、上部縁部２６は例えば水平方向と成す角度が３０度以下の傾斜面として形成されるので、残留紙幣４６が変形し、また、上部ユニット１０を押す水平方向の力により上部縁部２６に作用する分力が緩和される。結果、受渡ガイド２０と上部ユニット１０とで残留紙幣４６を挟み込む力は、図５を参照して説明した比較例よりも弱くなる。従って、上部ユニット１０がさらに押し込まれた場合に受渡ガイド２０および上部ユニット１０が残留紙幣４６を介して相互に引っ張られる力も弱くなるので、受渡ガイド２０の撓み、および受渡ガイド２０の部品破損の発生を抑制することが可能である。
【００４８】
上記では残留紙幣４６が存在する状態で上部ユニット１０を職員が紙幣処理装置の定位置に戻す例を説明したが、残留紙幣４６が存在する状態で下部ユニット３０を職員が紙幣処理装置の定位置に戻す場合にも、下部縁部２７の同様の作用により受渡ガイド２０の撓み、および受渡ガイド２０の部品破損の発生を抑制することが可能である。
【００４９】
なお、上部縁部２６および下部縁部２７は、傾斜面に代えて曲面形状で形成されてもよい。かかる構成によっても、上部ユニット１０を押す水平方向の力と上部縁部２６との当り角、および下部ユニット３０を押す水平方向の力と下部縁部２７との当り角を小さくできるので、残留紙幣４６を挟み込む力が緩和され、受渡ガイド２０の撓み、および受渡ガイド２０の部品破損の発生を抑制することが可能である。
【００５０】
また、図９では、後面側の受渡ガイド２０に着目して構成を説明したが、前面側の受渡ガイド２０も同様に上部縁部２６および下部縁部２７を有してもよい。かかる構成によれば、紙幣処理装置１の前面から上部ユニット１０および下部ユニット３０を引出し可能な場合にも、前面側の受渡ガイド２０の撓み、および受渡ガイド２０の部品破損の発生を抑制することが可能である。
【００５１】
＜３．応用例＞
以上、本発明の実施形態について説明した。続いて、上述した本発明の実施形態の応用例を説明する。以下では、図１０を参照して比較例による紙幣処理装置の課題を明らかにした上で、応用例による紙幣処理装置１の構成を説明する。
【００５２】
（３−１．背景）
比較例による紙幣処理装置において、受渡ガイド８０に残留紙幣４６が存在する状態で職員が上部ユニット８８を紙幣処理装置の定位置に戻そうとすると、図１０に示したように、上部ガイド８９の受渡搬送路と反対側の側面と受渡ガイド８０とに残留紙幣８６が挟まれる。
【００５３】
ここで、上部ガイド８９の受渡搬送路と反対側の側面では、図１０に示したように、水平方向の辺と鉛直方向の辺とが垂直に交わっている。このため、上部ガイド８９は、上部ユニット８８を押す水平方向の力と直交する面で残留紙幣８６に当たる。結果、受渡ガイド８０と上部ユニット８８とで残留紙幣８６を挟み込む力が強くなる。また、残留紙幣８６は、搬送ローラ４２によっても挟み込まれているため、残留紙幣８６には搬送ローラ４２の慣性力に応じた力も作用する。
【００５４】
このように残留紙幣８６が受渡ガイド８０と上部ユニット８８とに強く挟まれた状態で上部ユニット８８がさらに押し込まれると、受渡ガイド８０および上部ユニット８８が残留紙幣８６を介して相互に引っ張られ、上部ガイド８９が残留紙幣８６と反対側に撓み、さらには上部ガイド８９が破損する恐れがある。上部ユニット８８には搬送ローラ４２、残留センサ４４および図示しないセンサコードなどが設けられているので、上部ガイド８９が破損すると、受渡ガイド８０が破損した場合よりも部品交換に手間を要する。なお、上記では、残留紙幣８６が存在する紙幣処理装置に上部ユニット８８を戻す例を説明したが、残留紙幣８６が存在する紙幣処理装置に下部ユニットを戻す場合にも同様の現象が生じ得る。
【００５５】
これに対し、応用例による紙幣処理装置１によれば、受渡ガイド２０側に残留紙幣４６が存在する状態でのユニット移動に伴う部品破損の発生を抑制することが可能である。以下、このような応用例による紙幣処理装置１の構成について図１０および図１１を参照して説明する。
【００５６】
（３−２．応用例による紙幣処理装置の構成）
図１１は、応用例による紙幣処理装置１の受渡ガイド２０周辺の断面視を示した説明図である。図１１に示したように、応用例による紙幣処理装置１の上部ユニット１１は、受渡ガイド２０側の端部に上部ガイド１９を有する。さらに、上部ガイド１９は、搬送路と反対側であって、受渡ガイド２０の側に、受渡ガイド２０の側に向かうにつれて搬送路に近づく縁部１９ａを有する。また、応用例による紙幣処理装置１の下部ユニット３１は、受渡ガイド２０側の端部に下部ガイド３９を有する。さらに、下部ガイド３９は、搬送路と反対側であって、受渡ガイド２０の側に、受渡ガイド２０の側に向かうにつれて搬送路に近づく縁部３９ａを有する。上記の縁部１９ａまたは縁部３９ａの一方が第３の縁部に対応し、上記の縁部１９ａまたは縁部３９ａの他方が第４の縁部に対応する。
【００５７】
上部ガイド１９の縁部１９ａに関し、縁部１９ａは図１１に示したように傾斜面であってもよく、当該傾斜面と水平方向の成す角度は３０度以下であってもよい。すなわち、当該傾斜面と搬送路の成す角度は６０度以上であってもよい。同様に、下部ガイド３９の縁部３９ａは傾斜面であってもよく、当該傾斜面と水平方向の成す角度は３０度以下であってもよい。すなわち、当該傾斜面と搬送路の成す角度は６０度以上であってもよい。
【００５８】
かかる構成によれば、上部ユニット１０または下部ユニット３０の移動に伴う部品破損の発生を抑制することが可能である。例えば、引き出された上部ユニット１１を、受渡ガイド２０に残留紙幣４６が存在する状態で職員が紙幣処理装置１の定位置に戻そうとすると、図１２に示したように、受渡ガイド２０と上部ガイド１９の縁部１９ａとに残留紙幣４６が挟まれ得る。しかし、上部ガイド１９の縁部１９ａは例えば水平方向と成す角度が３０度以下の傾斜面として形成されるので、残留紙幣４６が変形し、また、上部ユニット１１を押す水平方向の力により上部ガイド１９の縁部１９ａに作用する分力が緩和される。結果、受渡ガイド２０と上部ガイド１９とで残留紙幣４６を挟み込む力は、図１０を参照して説明した比較例よりも弱くなる。従って、上部ユニット１１がさらに押し込まれた場合に受渡ガイド２０および上部ガイド１９が残留紙幣４６を介して相互に引っ張られる力も弱くなるので、上部ガイド１９の撓み、および上部ガイド１９の破損の発生を抑制することが可能である。
【００５９】
上記では、受渡ガイド２０に残留紙幣４６が存在する状態で上部ユニット１１を職員が紙幣処理装置１の定位置に戻そうとする例を説明したが、受渡ガイド２０に残留紙幣４６が存在する状態で下部ユニット３１を職員が紙幣処理装置１の定位置に戻す場合にも、下部ガイド３９の縁部３９ａの同様の作用により、下部ガイド３９の撓み、および下部ガイド３９の破損の発生を抑制することが可能である。
【００６０】
なお、上部ガイド１９の縁部１９ａおよび下部ガイド３９の縁部３９ａは、傾斜面に代えて曲面形状で形成されてもよい。かかる構成によっても、残留紙幣４６を挟み込む力が緩和され、上部ガイド１９および下部ガイド３９の撓み、および上部ガイド１９および下部ガイド３９の破損の発生を抑制することが可能である。
【００６１】
また、図１１および図１２に示したように、前面側の上部ガイド１９および後面側の上部ガイド１９の双方に、搬送路と反対側であって、受渡ガイド２０の側に、受渡ガイド２０の側に向かうにつれて搬送路に近づく縁部１９ａが形成される。同様に、前面側の下部ガイド３９および後面側の下部ガイド３９の双方に、搬送路と反対側であって、受渡ガイド２０の側に、受渡ガイド２０の側に向かうにつれて搬送路に近づく縁部３９ａが形成される。かかる構成によれば、紙幣処理装置１の前面から上部ユニット１０および下部ユニット３０を引出し可能な場合にも、上部ガイド１９および下部ガイド３９の撓み、および上部ガイド１９および下部ガイド３９の破損の発生を抑制することが可能である。
【００６２】
＜４．むすび＞
以上説明したように、本発明の実施形態によれば、受渡ガイド２０、上部ガイド１８（１９）、および下部ガイド３８（３９）の形状の創意工夫により、ユニット移動に伴う部品破損の発生を抑制することが可能である。
【００６３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６４】
例えば、上記では受渡ガイド２０が金庫２４に固定される例を説明したが、受渡ガイド２０は可動に紙幣処理装置１に設けられてもよい。また、上記では、上部ユニット１０に接客部１３、鑑別部１４、一時保留部１５、およびリジェクト庫１６が含まれ、下部ユニット３０に紙幣カセット３２Ａ〜３２Ｅが含まれる例を説明したが、上部ユニット１０および下部ユニット３０に含まれる構成はかかる例に限定されない。例えば、鑑別部１４、一時保留部１５、またはリジェクト庫１６が下部ユニット３０に設けられてもよい。
【符号の説明】
【００６５】
１  紙幣処理装置
２  筐体
１０、１１  上部ユニット
１３  接客部
１４  鑑別部
１５  一時保留部
１６  リジェクト庫
１７  上部搬送部
１８、１９  上部ガイド
１９ａ  縁部
２０  受渡ガイド
２１  固定部
２２  ガイド片
２４  金庫
２６  上部縁部
２７  下部縁部
２８  受渡搬送路
３０、３１  下部ユニット
３２  紙幣カセット
３７  下部搬送部
３８、３９  下部ガイド
３９ａ  縁部
４２  搬送ローラ
４４  残留センサ
５０  開口部
５２  ネジ孔
【図１】
2015184977.tif 000003
【図２】
2015184977.tif 000004
【図３】
2015184977.tif 000005
【図４】
2015184977.tif 000006
【図５】
2015184977.tif 000007
【図６】
2015184977.tif 000008
【図７】
2015184977.tif 000009
【図８】
2015184977.tif 000010
【図９】
2015184977.tif 000011
【図１０】
2015184977.tif 000012
【図１１】
2015184977.tif 000013
【図１２】
2015184977.tif 000014